(57)【要約】【課題】グレアカットを効率的に行いつつ、ウォールウォッシャー配光を行うことができる照明器具を提供する。【解決手段】  照明器具１０は、天井面に設置されるとともに、天井面に交差する壁面に光を照射するために、壁面から離れる方向に光軸が向くように配向されたＬＥＤ発光部と、ＬＥＤ発光部からの光を壁面に反射させる反射板と、を備える。【選択図】図３
2011103199.tif 000002
【特許請求の範囲】
【請求項１】
天井面に設置されるとともに、前記天井面に交差する壁面に光を照射するために、
前記壁面から離れる方向に光軸が向くように配向されたＬＥＤ発光部と、
前記ＬＥＤ発光部からの光を前記壁面に反射させる反射板と、を備える照明器具。
【請求項２】
前記反射板が、前記ＬＥＤ発光部に対して凹状の円弧面である請求項１に記載の照明器具。
【請求項３】
前記反射板の先端から前記壁面に向かうリブが設けられている請求項１または請求項２に記載の照明器具。
【請求項４】
前記反射板に向かい合う隔壁を有し、前記隔壁の表面が前記反射板の表面よりも光反射率が低い請求項１ないし請求項３のうちのいずれかに記載の照明器具。
【請求項５】
前記反射板における先端側よりも前記ＬＥＤ発光部に近い側の方の光反射率が低い請求項１ないし請求項４のうちのいずれかに記載の照明器具。
【発明の詳細な説明】
【技術分野】
【０００１】
本発明は、例えばマンション等の集合住宅の外廊下や通路あるいは軒下の天井面に設置されて壁面に向けて光を照射する照明器具に関する。
【背景技術】
【０００２】
従来の照明器具の一例として、基板の長手方向に沿ってライン状にＬＥＤを備えたものがある（例えば、特許文献１参照）。
【先行技術文献】
【特許文献】
【０００３】
【特許文献１】特開２００２−２９９６９７号公報（図１、請求項１）
【発明の概要】
【発明が解決しようとする課題】
【０００４】
ところが、上記特許文献１に開示された従来の照明器具において、ＬＥＤは指向性の強い光源であり、ＬＥＤ単体では配光も画一的なために、グレアが発生する。
【０００５】
このような背景に鑑みて、照明手法の目的に応じてＬＥＤの配光制御を行うための一つの手段として、ウォールウォッシャー（ＷＷ）の配光とする場合、配光はアシンメトリーとなり、反射板を用いるか或いはＵＶ機構を適用した照明器具が提案されている。しかし、このような照明器具において、反射板を用いてウォールウォッシャー配光を行おうとした場合、ＬＥＤの光は指向性が強いために、配光がワイドでかつ穏やかなグラデーションにならない。
【０００６】
本発明は、前述した課題を解決するためになされたものであり、その目的は、グレアカットを効率的に行いつつ、ウォールウォッシャー配光を行うことができる照明器具を提供することにある。
【課題を解決するための手段】
【０００７】
本発明に係る照明器具は、天井面に設置されるとともに、前記天井面に交差する壁面に光を照射するために、前記壁面から離れる方向に光軸が向くように配向されたＬＥＤ発光部と、前記ＬＥＤ発光部からの光を前記壁面に反射させる反射板と、を備える。
【０００８】
本発明において、ＬＥＤ発光部の光は反射板を介して壁面に向けて反射されるために、集合住宅等の壁面にある出入口を通じて出入りする人の視点にＬＥＤ発光部の光が直接入らない。
従って、本発明においては、グレアカットを効率的に行いつつ、ウォールウォッシャー配光を行うことができる。
【０００９】
本発明に係る照明器具は、上記照明器具において、前記反射板が、前記ＬＥＤ発光部に対して凹状の円弧面である。
【００１０】
本発明においては、ＬＥＤ発光部の光を壁面に向けて反射させる反射板が凹状の円弧面であるために、反射光が拡散光となって柔らかい照射を行うことができる。
【００１１】
本発明に係る照明器具は、上記照明器具において、前記反射板の先端から前記壁面に向かうリブが設けられている。
【００１２】
本発明においては、外廊下に設けられている金属製の手摺に直接光を照射させないようにすることにより、手摺に対するグレア光を防止することができる。
【００１３】
本発明に係る照明器具は、上記照明器具において、前記反射板に向かい合う隔壁を有し、前記隔壁の表面が前記反射板の表面よりも光反射率が低い。
【００１４】
本発明においては、反射板に向かい合う隔壁の表面に例えば艶消し黒塗装を施すことにより反射板の表面よりも光反射率を低くして、隔壁における光の反射を抑制することができる。
【００１５】
本発明に係る照明器具は、上記照明器具において、前記反射板における先端側よりも前記ＬＥＤ発光部に近い側の方の光反射率が低い。
【００１６】
本発明においては、ＬＥＤ発光部に近い側から反射板の先端側に向かって、例えばグラデーション等により光反射率を変化させることにより、反射板における光の反射を抑制することができる。
【発明の効果】
【００１７】
本発明の照明器具によれば、ＬＥＤ発光部の光が反射板を介して壁面に向けて反射されるために、集合住宅等の壁面にある出入口を通じて出入りする人の視点にＬＥＤ発光部の光が直接入らない。
従って、本発明の照明器具によれば、グレアカットを効率的に行いつつ、ウォールウォッシャー配光を行うことができる。
【図面の簡単な説明】
【００１８】
【図１】本発明に係る一実施形態の照明器具の設置状態の外廊下周りの外観斜視図
【図２】図１の照明器具の斜め下方から視た外観斜視図
【図３】図１の照明器具の分解斜視図
【図４】図１の照明器具の主反射板と補助反射板との組立状態での斜め下方から視た外観斜視図
【図５】図４の分解斜視図
【図６】図４の底面図
【図７】図６のＡ−Ａ線断面図
【図８】図６のＢ−Ｂ線断面図
【図９】図１の照明器具の集合住宅の外廊下に設置した場合の模式的断面図
【図１０】図１の照明器具の通路に設置した場合の模式的断面図
【発明を実施するための形態】
【００１９】
以下、本発明の一実施形態に係る照明器具について図面を参照して説明する。
本発明の一実施形態である照明器具１０は、取付ベース１１と、主反射板１２と、補助反射板１３と、ＬＥＤ発光部１４と、電源装置１５と、クリアカバー１６と、ケース１７と、を備えて集合住宅の外廊下１に設置される。
【００２０】
図１に示すように、外廊下１は、居住者専有部側にドア２を有する第１壁面３があり、第１壁面３の反対側に金属製の手摺４を有する第２壁面５が対向配置されている。照明器具１０は、外廊下１のドア２の上部の天井面６に取り付けられている。第１壁面３と第２壁面５とは天井面６および廊下面７に交差して配置されている。
【００２１】
図２、図３に示すように、取付ベース１１は、例えばアルミニウム製の板形状に形成されており、補助反射板１３とＬＥＤ発光部１４とが取り付けられた主反射板１２と、電源装置１５とが下面にネジ止めされる。
取付ベース１１は、クリアカバー１６を装着したケース１７が被されることにより、補助反射板１３とＬＥＤ発光部１４とが取り付けられた主反射板１２と、電源装置１５とがケース１７内に収容される。そして取付ベース１１には、端部に有するネジ孔１８とケース１７のネジ孔１９とを介してケース１７が取り付けられる。
【００２２】
電源装置１５は、不図示のインバータ回路等の電子回路を内蔵しており、天井面６側から給電された商用電源をＬＥＤ発光部１４用の直流電源に変換してＬＥＤ発光部１４に与える。クリアカバー１６は、例えば乳白色の樹脂製板部材であって主反射板１２の廊下面７側に組付けられる。
【００２３】
ケース１７は、例えばＡＢＳ樹脂製であって、下面の中央部に四角形の開口部２０が形成されており、外面に三部ツヤの銀色のメタリック塗装が施されていて、開口部２０の側部の内面に黒艶消し塗装が施されている。
【００２４】
図４、図５に示すように、主反射板１２は、一方の側面に、閉塞された側板２１を有するとともに、他方の側面に、開放された主反射板取付部２２を有し、主反射板取付部２２に補助反射板１３が取り付けられている。主反射板１２は両端面に端板２３をそれぞれ有する。主反射板１２は、側板２１と主反射板取付部２２との間に、天井面６に対して予め定められた傾斜角度（図８参照）θ１を有するＬＥＤ発光部取付板２４が形成されているとともに、側板２１の長手方向においてＬＥＤ発光部取付板２４の下面に５個の仕切板２５が等間隔で突出形成されている。ＬＥＤ発光部取付板２４は、仕切板２５のそれぞれの間に６個のＬＥＤ挿通孔２６が形成されている。ＬＥＤ発光部取付板２４は、その上面にＬＥＤ発光部１４に有する基板（図７参照）２７が取り付けられており、ＬＥＤ発光部１４に有する６個のＬＥＤ２８がＬＥＤ挿通孔２６内にそれぞれ組付けられている。ＬＥＤ挿通孔２６内に取り付けられたＬＥＤ２８は、補助反射板１３と、仕切板２５（端板２３）と、側板２１において補助反射板１３に向かい合う隔壁２９と、に囲まれた空間内に配置されている。主反射板１２は、全体にメッキ処理が施されている。
【００２５】
ＬＥＤ発光部１４は、基板２７の長手方向にＬＥＤ２８が直線状に実装されている。仕切板２５は、それぞれが、例えば、凹形状、凸形状、Λ形状、Ｗ形状の相似形状に形成されても良く。ＬＥＤ発光部１４におけるＬＥＤ２８の配列方向に対して交差して配置されている。
【００２６】
補助反射板１３は、例えばアルミニウム製で主反射板１２の長さに同一の長さを有する薄い板形状に形成されている。補助反射板１３は、主反射板１２の主反射板取付部２２に取り付けるための基部３０にネジ孔３１を有し、基部３０から下方に向けて延出されている本体部３２がＬＥＤ発光部１４に対して凹状の円弧面に形成されている。そして、補助反射板１３は、本体部３２の先端部から屈曲して突出したリブ３３を有する。
【００２７】
図６、図７、図８に示すように、仕切板２５は、ＬＥＤ２８の配列方向に沿った端部が高さ寸法Ｌ１を有し、端部の中央部側が端部の高さ寸法Ｌ１よりも高い高さ寸法Ｌ２を有し、中央部が端部の中央部側の高さ寸法Ｌ２よりも高い高さ寸法Ｌ３を有してＬＥＤ２８の配列方向に沿って中央部から端部に行くに従って高さが低くなっている。
【００２８】
ＬＥＤ２８が発光された際に、外廊下１の廊下面７にいて照明器具１０の長手方向からの人の視野範囲Ｃにおいて、仕切板２５の中央部から後方にある仕切板２５は、中央部よりも高さが低いために中央部によって遮られ、仕切板２５の中央部から前方にある仕切板２５は、中央部よりも高さが低いが、主反射板の端板２３によって遮られることにより、ＬＥＤ２８の光αＡが直接光にならずにグレアカットされる。一方、仕切板２５は、中央部よりも端部の高さが低くなっているために、中央部および側部のＬＥＤ２８の光αＢが側方に向けてワイドに配光されてバッドウィング形状の照射範囲を創生する。
【００２９】
隔壁２９は、その表面が補助反射板１３の表面よりも光反射率が低い艶消し黒塗装を施されている。補助反射板１３は、リブ３３側よりもＬＥＤ発光部１４に近い側の方の光反射率が低くなるように、本体３２におけるＬＥＤ発光部１４に近い側からほぼ３分の１までに白色塗装が施されてグラデーション状になっている。
【００３０】
次に、集合住宅の外廊下１に設置する場合の照明器具１０の光学的特性について説明する。
図９に示すように、照明器具１０は、補助反射板１３がドア２の反対側に配置されるようにドア２の上部の天井面６に取り付けられる。外部の制御回路を通じ、電源装置１５からＬＥＤ発光部１４に直流電流が与えられることによりＬＥＤ２８が発光される。このとき、ＬＥＤ２８は、ＬＥＤ発光部取付板２４が天井面６に対して予め定められた傾斜角度θ１を有するために、ＬＥＤ２８の光α１は、補助反射板１３に向けて進行してから補助反射板１３の凹面で反射し、主反射板１２の隔壁２９の下端部の下方から第１壁面３を照射する。これにより、照明器具１０は、ＬＥＤ２８の光αの指向性を緩和することにより、ドア２から出入りする居住専有者等の人の目にＬＥＤ２８の光が直接入ることがないので、グレアがなく、間接光による緩やかで、きれいな光のグラデーションの照明を付与することができる。
【００３１】
次に、通路に設置する場合の照明器具１０の光学的特性について説明する。なお、軒下に設置する場合も同様である。
図１０に示すように、照明器具１０は、補助反射板１３が通路の壁面８側に配置されるように天井面６に取り付けられる。ＬＥＤ発光部１４に直流電流が与えられることによりＬＥＤ２８が発光される。このとき、ＬＥＤ２８は、ＬＥＤ発光部取付板２４が天井面６に対して予め定められた傾斜角度θ１を有するために、ＬＥＤ２８の光のうち、隔壁２９によりわずかな光度で反射して補助反射板１３のリブ３３により遮られなかった光α２が通路の壁面８の上部を照射する。一方、ＬＥＤ２８の光のうち、補助反射板１３のリブ３３に遮られずに進行した光α３は、通路の壁面８の下部を直接照射することになる。これにより、照明器具１０は、隔壁２９によるきれいなグラデーション光の間接光を通路の壁面８の上部に照射し、これに対して、ＬＥＤ２８の直接光を通路の壁面８の下部に照射できる。
【００３２】
以上説明してきたように、本発明の一実施形態の照明器具１０によれば、仕切板２５によりＬＥＤ発光部１４のＬＥＤ２８の配列方向に対して交差する方向に向く光がグレアカットされるとともに、仕切板２５を介して側方に反射光を創生することにより光がワイドに配光される。
従って、本発明の一実施形態の照明器具１０によれば、グレアカットを効率的に行いつつ、ワイド配光を行うことができる。
【００３３】
本発明の一実施形態の照明器具１０によれば、仕切板２５が互いに相似形状であることにより、ＬＥＤ発光部１４のＬＥＤ２８光の光学的特性を生かしたグレアカットを行うことができる。
【００３４】
本発明の一実施形態の照明器具１０によれば、人の視点から視て、仕切板２５の中央部から後方にある仕切板２５は、中央部よりも高さが低いために中央部によって遮られ、仕切板２５の中央部から前方にある仕切板２５は、中央部よりも高さが低いが、端板２３によって遮られることにより、ＬＥＤ２８の光が直接光にならずにグレアカットされる。一方、仕切板２５は、中央部よりも端部の高さが低くなっているために、中央部および側部のＬＥＤ２８の光が側方に向けてワイドに配光される。
従って、本発明の一実施形態の照明器具１０によれば、グレアカットを効率的に行いつつ、ワイド配光を行うことができる。
【００３５】
本発明の一実施形態の照明器具１０によれば、ＬＥＤ２８の光は補助反射板１３を介して第１壁面３に向けて反射されるために、集合住宅等の第１壁面３にあるドア２を通じて出入りする人の視点にＬＥＤ２８の光が直接入らない。
従って、本発明の一実施形態の照明器具１０によれば、グレアカットを効率的に行いつつ、ウォールウォッシャー配光を行うことができる
【００３６】
本発明の一実施形態の照明器具１０によれば、ＬＥＤ２８の光を第１壁面３に向けて反射させる補助反射板１３が凹状の円弧面であるために、反射光が拡散光となって柔らかい照射を行うことができる。
【００３７】
本発明の一実施形態の照明器具１０によれば、外廊下１に設けられている金属製の手摺４に直接光を照射させないようにすることにより、手摺４に対するグレア光を防止することができる。
【００３８】
本発明の一実施形態の照明器具１０によれば、補助反射板１３に向かい合う隔壁２９の表面に艶消し黒塗装を施すことにより補助反射板１３の表面よりも光反射率を低くして、隔壁２９における光の反射を抑制することができる。
【００３９】
本発明の一実施形態の照明器具１０によれば、ＬＥＤ発光部１４に近い側から補助反射板１３の先端側に向かって、グラデーションにより光反射率を変化させることにより、補助反射板１３における光の反射を抑制することができる。
【００４０】
なお、前記一実施形態で使用した取付ベース１１、電源装置１５、クリアカバー１６、ケース１７、ＬＥＤ２８等は例示したものに限定するものではなく適宜変更が可能である。
【符号の説明】
【００４１】
１  外廊下
３  第１壁面（壁面）
５  第２壁面（壁面）
６  天井面
８  通路壁面（壁面）
１０  照明器具
１２  主反射板
１３  補助反射板
１４  ＬＥＤ発光部
２９  隔壁
３３  リブ
【図１】
2011103199.tif 000003
【図２】
2011103199.tif 000004
【図３】
2011103199.tif 000005
【図４】
2011103199.tif 000006
【図５】
2011103199.tif 000007
【図６】
2011103199.tif 000008
【図７】
2011103199.tif 000009
【図８】
2011103199.tif 000010
【図９】
2011103199.tif 000011
【図１０】
2011103199.tif 000012